Podtech/llm-jp-corpus-v4-ja_patent huggingface dataset:
(57)【要約】【課題】  足の不自由な人でも靴下を自分で履いたり脱いだり出来る様にした補助具を提供する。【解決手段】  膝を伸ばした状態で作用側先端が装着した靴下開口部位置に届くとともに多端が手での操作可能な位置となる長さの細長い板状の握り板と、作用側先端の外側から靴下開口部を挟むことが可能な挟持部となるように挟持機構を介して設けられた操作板とより構成される。【選択図】図１
2007125326.tif 000002
【特許請求の範囲】
【請求項１】
膝を伸ばした状態で作用側先端が装着した靴下開口部位置に届くとともに多端が手での操作可能な位置となる長さの細長い板状の握り板と、作用側先端の外側から靴下開口部を挟むことが可能な挟持部となるように挟持機構を介して設けられた操作板と、挟持部に挟持面を平行になるように調整する挟持面調整機構とよりなり、
前記操作板の多端は手での操作可能となるレバー部となったものであることを特徴とする靴下装脱着補助。
【請求項２】
握り板の操作部にフック部を備え、このフック部は握り板の操作端部を靴下に差し込んだ状態で靴下をぬがす方向に押さえつけるものであることを特徴とする請求項１記載の靴下装脱着補助具。
【発明の詳細な説明】
【技術分野】
【０００１】  本発明は、足の不自由な人でも靴下を自分で履いたり脱いだり出来る様にした補助具である。
【背景技術】
【０００２】  従来、基端部に把持を有する一対の棒状基の先端部に靴下をセットして足に靴下を挿入する補助具があった。
【特許文献１】特開２００４−１０５２９２
【発明の開示】
【発明が解決しようとする課題】
【０００３】  そのために、次のような問題点があった。
靴下を補助具に装着するのに拡開部の表面に弾性を有する材料にて形成される滑り止め部材を被着するだけで、靴下を完全に締付ける締付装置が必要である。
靴下を脱ぐということは健康な人にはなにげない動作であるが、足腰に障害のある人には介助が必要であった。しかしながら従来の補助具には靴下を脱ぐ装置がついていなかった。
本発明は、これらの問題点を解決するためになされたものである。
【課題を解決するための手段】
【０００４】  本発明は膝を伸ばした状態で作用側先端が装着した靴下開口部位置に届くとともに多端が手での操作可能な位置となる長さの細長い板状の握り板と、作用側先端の外側から靴下開口部を挟むことが可能な挟持部となるように挟持機構を介して設けられた操作板とより構成される。
【発明の効果】
【０００５】  身体を曲げることなく靴下を装着することができる。
レバーを長くすることにより挟持機構のバネの強さが弱くなり高齢者、身体障害者の人でも、レバーが押しやすくなった。
挟持面調整機構を設けることにより、靴下をしっかりと押さえつけることができ、より確実に靴下を装着できるようになった。
フック部を設けることにより、靴下を容易に脱ぐことができるようになった。
【発明を実施するための最良の形態】
【０００６】  以下、本発明の実施の形態について説明する。
本発明は握り板５と、この握り板５に挟持機構２を介して設けられた操作板３と、握り板５の反対側端部付近に設けられたＬ字金具１７から構成されている。
握り板５は膝を伸ばした状態で作用側先端が装着した靴下の開口部位置に届くとともに、多端が手での操作可能な位置となる長さの細長い板状となっている。操作板３は握り板５と近似した幅で先端が折れ曲がり先端が挟持部１、他端がレバー部４を形成する形成となっている。
握り板５と操作板３は図に示すような挟持機構２により挟持可能に取付けられている。
挟持機構２は操作板３の折り曲がり位置付近先端側及びこれに対向する握り板位置に固定ビスによりクリップ部材がそれぞれ固定されている。クリップ部材は取付け板と各取付け板左右側辺中央にそれぞれ設けられた支持部材６とクリップバネ１２から構成される。上下のクリップ部材の取付け板及び握り板５と操作板３の同位置には取付け穴が設けられており、この取付け穴をそれぞれ操作板固定ビス１４、握り板固定ビス１６で固定している。支持部材６はそれぞれ軸受け穴１５が設けられており軸により取付けられる。また軸に一方のクリップバネ１２のコイル部が取付けられる。また、このクリップバネ１２の両先端部は図に示すように挟持部１がしまる方向となるように配置されている。また、操作板３の折り曲がり位置付近には別のコイルバネ１３が上下に伸縮するように上下端をバネ止めビス１９で握り板５と操作板３に配置されている。
また挟持部先端には挟持面調整機構が設けられている。挟持面調整機構は締付板７が挟持面を平行になるように可動する構造のものである。この締付板７には４つのスプリングガイド９が設けられており、締付板調整スプリング８を介して操作板３の挟持部に設けられた取付穴に上下動するように取り付けられる。スプリングガイド９の端部は、締付板抜け防止ビス１１によって抜けないようになっている。
挟持面である締付板７の表面及び、その対面には滑り止めシート１０が設けられている。
握り板５の挟持部の反対端部付近の操作部には図１に示すように折れ曲がったフック部１７が設けられている。このフック部１７は、握り板５の操作部を靴下に差し込んだ状態で靴下をぬがす方向に押さえつけるものであり、フック固定ビス１８により固定されている。
本発明は以上の構成よりなる。
以下、使用方法について説明する。
靴下を履く場合は、図４ａに示すように挟持部１で靴下の左右側面開口部を挟み、足を挿入しながら、本発明を引っ張ることで図４ｂに示すように靴下が履ける。この際、挟持部１は平行とならないが、挟持面調整機構のスプリングガイド９が挟持部に設けられた取付穴に上下動するが締付板調整スプリング８によって挟持面が水平となる。
逆に靴下を脱ぐ場合は、図５に示すように握り板５の挟持部の反対端部付近の操作部に足と靴下の間に挿入する。挿入していくと、フック部１７に靴下の開口部が押さえ込まれ、そのまま押すことで靴下が脱げる。
【図面の簡単な説明】
【０００７】
【図１】  本発明の側面図
【図２】  本発明の斜視図
【図３】  本発明の斜視図
【図４】  本発明の使用説明図
【図５】  本発明の使用説明図
【符号の説明】
【０００８】１    挟持部
２    挟持機構
３    操作板
４    レバー部
５    握り板
６    支持部材
７    締付板
８    締付板調整スプリング
９    スプリングガイド
１０  スベリ止めシート
１１  締付板抜け防止ビス
１２  クリップバネ
１３  コイルバネ
１４  操作板固定ビス
１５  軸受け穴
１６  握り板固定ビス
１７  フック部
１８  フック固定ビス
１９  バネ止めビス
【図１】
2007125326.tif 000003
【図２】
2007125326.tif 000004
【図３】
2007125326.tif 000005
【図４】
2007125326.tif 000006
【図５】
2007125326.tif 000007
(57)【要約】【課題】頭部冷却用に用いるヘアーバンの形状は、冷却効果しかなく特に風邪で寝込んだ状態のときは、体の自由を奪われ水分補給が摂れなかった。【解決手段】本体１に冷却した飲料水３を挿入することの出来る収納ポケット２を設ける。【選択図】図１
2007125329.tif 000002
【特許請求の範囲】
【請求項１】
ヘアーバンドに冷凍した飲料容器を収納するポケットを設けた事を特徴しなおかつ飲料容器を脱着して飲むことが出来る頭部冷却ヘアーバンド。
【請求項２】
ここから書き始めます。
【発明の詳細な説明】
【技術分野】
【０００１】この発明は、頭部冷却に用いるヘアーバンドの形状に関する。
【背景技術】
【０００２】従来の頭部冷却に用いるヘアーバンの形状は図２のように保冷機能が設けられたものである
【特許文献１】
【特許文献２】
【非特許文献１】
【非特許文献２】
【発明の開示】
【発明が解決しようとする課題】
【０００３】しかしながら、以上の技術によれば、冷却効果しかなく特に風邪で寝込んだ状態のときは、体の自由を奪われ水分補給が摂れなかった。
そこで、この発明は、頭部を冷却し寝たままの状態で水分補給が出来る頭部冷却用ヘアーバンドを提供することを課題とする。
【課題を解決するための手段】
【０００４】以上の課題を解決するために、第一発明はヘアーバンドに冷凍した飲料容器を収納するポケットを設けた事を特徴としなおかつ飲料容器を脱着して飲むことが出来ることを特徴とする頭部冷却ヘアーバンドである。
【発明の効果】
【０００５】第一発明によれは、冷却用ヘアーバンドに冷凍した飲料容器を収納するポケットを設けたので、飲料容器を脱着して飲むことが出来る。
【発明を実施するための最良の形態】
【０００６】この発明の一実施形態を、図１に示す。
ヘアーバンの本体１はビニール製であり、この本体１の前面には、ビニール製の収納ポケット２が一体的に設けられている。この収納ポケット２にには開閉式の蓋が設けられている。
【実施形態の効果】
【０００７】この実施形態によれば、収納ポケット２の働きで、冷凍した飲料水３を収納して頭部を冷やすことができる。なおかつ飲料水３を飲むこともできる。
【図面の簡単な説明】
【０００８】
【図１】この発明の一実施形態を示す斜視図である。
【符号の説明】
【０００９】１  ヘアーバンド本体                ２  収納ポケット
３  冷凍した飲料水
【図１】
2007125329.tif 000003
(57)【要約】【課題】襟元の狭い服を裾からハンガーを差し込まなくても、襟元から入れ、  フック（支柱）を上に持ち上げると可動軸が開き使用できる折りたたみ式ハンガーを提供する。【解決手段】ハンガーのフックと支柱は一体からなり、支柱を上方へ上げたとき、支骨に押されて可動軸が水平方向に持ち上げられ、支柱を下方へ下げたとき、支骨に引かれて可動軸の先端が垂下するように支柱に畳まれることを特徴とする折りたたみ式ハンガー。【選択図】図１
2007125327.tif 000002
【特許請求の範囲】
【請求項１】
ハンガーのフックと支柱は一体からなり支柱を上方へ上げたとき、支骨に押されて、可動軸が水平方向に持ち上げられ、支柱を下方へ下げたとき、支骨に引かれて、可動軸の先端が垂下するように支柱に畳まれる折りたたみ式ハンガー。
【発明の詳細な説明】
【技術分野】
【０００１】  本発明は襟元の狭い服を裾からハンガーを差し込まなくても、襟元から入れ、フック（支柱）を上に持ち上げることにより可動軸が開き使用できる折りたたみ式ハンガーに関するものである。
【背景技術】
【０００２】  従来のハンガーで襟元が狭い服、Ｔシャツ、ワンピース等の裾の部分から差し込んで掛けはずし使用している。今までに軸や各部にかかる力の作用を利用して、ハンガーの可動部分の固定及び、開閉を可能にしたもの（特許文献１）又ハンガーの中央内部にバネを設け、自由に折りたためる事ができるもの（特許文献２）等があるがワンタッチで折りたためるものはない。
【特許文献１】  実用新案登録第３０３４８０８号
【特許文献２】  実用新案登録第３００１２３８号
【発明の開示】
【発明が解決しようとする課題】
【０００３】  そのために次のような問題点があった。
（イ）襟元の狭い服、Ｔシャツ等は裾からハンガーを入れているか又は襟元から無理に入れると、襟元が傷んで型崩れの原因になる。
（ロ）裾の長いワンピース等は折角アイロンを掛けても裾からハンガーを入れるとしわになってしまう。
（ハ）折りたたみ式もあるがワンタッチで可動軸が開閉するものがない。
本発明は以上の問題点を解決しようとするものである。
【課題を解決するための手段】
【０００４】    ハンガーのフックと支柱は一体からなり、その支柱を上方へ上げたとき、支骨に押されて、可動軸が水平方向に持ち上げられ、支柱を下方へ下げた時、支骨に引かれて、可動軸の先端が垂下するように支柱に畳まれる。以上を特徴とする折りたたみ式ハンガーである。
【発明の効果】
【０００５】  襟元が狭い服、Ｔシャツ、ワンピース等でもハンガーを襟元から差込みフック（支柱）を上下することで可動軸が開閉するので襟元を壊さず、しわにもならず  簡単にきれいに掛けはずしができる。
【発明を実施するための最良の形態】
【０００６】  以下、本発明の実施の形態について説明する。
（イ）横長短尺状の肩受部（６）の中央を上下に円筒体（３）を貫通させる。
（ロ）円筒体（３）の中空部を、先端をフック（１）とする支柱（２）が上下に可動自在とする。
（ハ）肩受部（６）の両端は溝（１１）を設け、横長長尺状の可動軸（７）の端部を突出させた突出片（１３）が溝（１１）に挿入される。このとき突出片（１３）の両側に設けた突起（１３ａ）が溝（１１）の両側の穴（６ａ）に支承されて、可動軸（７）は水平と垂直方向に折りたたみ自在となる。
（ニ）支柱（２）の下方に円盤状のストッパー（４）を設け、支柱（２）の下端は可動盤（５）を設ける。
（ホ）可動盤（５）の中央に帯状の凹部（５ａ）を形成し、凹部（５ａ）の周囲に環状の環帯（１０）を装着する。
（ヘ）環帯（１０）に支骨（８）の先端に設けたリング（１２）を繋ぎ、このとき可動盤（５）に縦状に設けた溝（１１）のすき間をリング（１２）が上下に動くようにする。
（ト）支骨（８）の他端にリング（１２）を設け、可動軸（７）の内側に止め具（９）を介して接続する。
本発明は以上の構成よりなる。
したがって、使用するときは、可動軸（７）を支柱（２）に畳んだ状態で、Ｔシャツなどの襟首から差込、その後支柱（２）を上方へ引き上げると、Ｔシャツなどの服の中で可動軸（７）が水平方向に開いて、Ｔシャツの襟首の型崩れを防ぐことができる。
【図面の簡単な説明】
【０００７】
【図１】  本発明の可動軸が開いた状態の斜視図である。
【図２】  本発明の可同軸が閉じた状態の斜視図である。
【図３】  本発明の可動軸が開いた状態の要部の断面図である。
【図４】  本発明の肩受部と可動軸の分離図である。
【図５】  本発明の可動盤の凹部にある環帯と可動軸にある止め具を支骨で連結させた斜視図である。
【符号の説明】
【０００８】  １    フック
２    支柱
３    円筒体
４    ストッパー
５    可動盤
５ａ  凹部
６    肩受部
６ａ  肩受部先端
７    可動軸
８    支骨
９    止め具
１０    環帯
１１    溝
１２    リング
１３    突出片
１３ａ  突起
【図１】
2007125327.tif 000003
【図２】
2007125327.tif 000004
【図３】
2007125327.tif 000005
【図４】
2007125327.tif 000006
【図５】
2007125327.tif 000007
(57)【要約】      （修正有）【課題】震災による飲料水・酒類・調味料・健康飲料・試薬品の容器の落下を防止するための部品を提供する。【解決手段】震災時に容器３のゆれを吸収する弾力性を備えたゴム製の部品１を八角形とし、鉄製の店舗用棚板と個々の商品３が連結するためのマグネット２を底に埋め込むとともに、前後・左右・前斜・後斜・左斜・右斜どこからでも連結可能なように八角形の側面にマグネット２を埋め込み、マグネット２の磁気で容器単体を連結し鉄製棚板に固定する。【選択図】図２
2007125333.tif 000002
【特許請求の範囲】
【請求項１】
今現在店舗関係は、陳列棚に飲料水・酒類・調味料・健康飲料が陳列されているが瓶・缶・ポリ容器・容器全てに耐震処置がまったくなされていない現状ですが、店舗用棚板は鉄板製であるため瓶・缶・ポリ容器・容器の底に八角形のマグネット付きゴムキャップを付けることにより棚板と個々の商品が連結するため一つの列を形成する。ゴムの耐久性とマグネットの磁気を応用した耐震防災部品。
【請求項２】
八角形の側面にマグネットを埋め込んであるため前後・左右・前斜・後斜・左斜・右斜どこからでも連結可能であり、当部品を使用して陳列面積・陳列本数は以前と変わらない事。ここから書き始めます。
【請求項３】
八角形を正面配列した場合側面のマグネットを利用して鉄板の仕切板を左右に取り付けることが可能でありさらに耐震力が上がる。
【発明の詳細な説明】
【技術分野】
【０００１】本発明は震災時に陳列棚から容器が落下する二次災害を防ぐ部品
【背景技術】
【０００２】震災時の陳列棚の落下事故防止は不可能とされてきましたがゴムの弾力性と磁気を利用し、形を八角形にする事でデザイン性・経済性・安全性に優れているものである。
【発明の開示】
【発明が解決しようとする課題】
【０００３】現状では人に対する防災商品は開発されていますが陳列棚の容器の震災に関しては未解決であり震災時の二次災害を防ぐものである。
【課題を解決するための手段】
【０００４】震災時に容器のゆれをゴムの弾力性で吸収し、マグネットの磁気で容器単体を連結し鉄製棚板に固定する事によって震災時の容器落下の二次災害を防ぐ。
【図面の簡単な説明】
【０００５】
【図１】本発明の実施形態を示す図
【図２】同部品の断面図
【図３】本発明の実施形態を示す図
【符号の説明】
【０００６】１．    部品の八角形本体
２．    マグネット
３．    容器
４．    鉄製仕切板
【図１】
2007125333.tif 000003
【図２】
2007125333.tif 000004
【図３】
2007125333.tif 000005
(57)【要約】      （修正有）【課題】  生花類を生けた盛花スタンドに表示する名札で、その差し替えを容易にする名札を提供すること。【解決手段】あらかじめ名札受け具１１を生花類７とともにフローラルフォーム８に刺し込んでおき、木製名札５の最下部に刺し込み部となる脚棒を挿し込む構造としておけば、後から名札受け具１１に、木製名札５の脚棒を刺し込めば、高さを一定に揃えられると共に、並び順等による刺し替えも容易な名札受け具１１を有する盛花スタンド１０となる。【選択図】図３
2007125331.tif 000002
【特許請求の範囲】
【請求項１】
造花や生花類と共に刺しこむ事ができる名札受けであって、名札の挿抜が容易な事を特徴とする名札受け。
【請求項２】
上記名札受けにおいて、フローラルフォームに対する名札受けの挿入深さ、及び名札受けに対する名札の挿入深さ、それぞれを一定に保てる事を特徴とする名札受け。
【発明の詳細な説明】
【発明の詳細な説明】
【技術分野】
【０００１】本発明は、冠婚葬祭で盛花スタンドと共に使用される名札に関するものである。
【背景技術】
【０００２】冠婚葬祭に供される生花類を生けた盛花スタンドは、一般に贈り主の名前が書かれた木製の名札を立てて会場に搬入する。このとき、名札の脚棒は生花類の生けてあるフローラルフォームに直接刺されているのが一般的である。
【発明が解決しようとする課題】
【０００３】この盛花スタンドの配列順番は、贈り主との付き合いの深さなどの関係を検討して決定するが、式の直前に生花類が贈られる場合など、一度配置した並び順を大きく変更する事が度々ある
【０００４】このような場合、従来は生花類を生けてある盛花スタンドごと移動する、もしくは、一般に盛花スタンドの内容は名札の表示以外がほぼ同一の内容であるので、名札の差し替えをおこなう。
【０００５】しかし、生花類を生けたスタンドは重くて移動にはかなりの労力が必要である。また、名札の差し替えは、名札の脚棒がフローラルフォームに直接刺されているため、何度か抜き差しをするとフローラルフォームが壊れ、名札の高さを揃えたり固定することが難しくなるという問題点があった。
【課題を解決するための手段】
【０００６】上記課題を解決する方法として、あらかじめ名札受け具を生花類とともにフローラルフォームに刺し込んでおき、後から名札受け具に名札の脚棒を挿し込む構造として、名札受け具を考案した。
【発明を実施するための最良の形態】
【実施例】
【０００７】図１において、名札受けの構造を示す。名札脚棒案内部１は、漏斗状に広がった形状とする事により、名札受け具の周囲に生花類があって、名札受け具が見づらい状態でも容易に挿し込むことができる。【０００８】案内部分の下には、名札脚棒の形状に合わせたパイプ状の本体部分２を連結して、ここで名札を支える。このパイプ状部分の内断面の大きさは、名札脚棒６の断面幅と厚さより、それぞれ２〜１５ｍｍ大きくする。【０００９】本体部分の下部に、名札の高さを一定に揃えるための受け部分と、フローラルフォームに対し一定の深さに刺しこむための受け部分を設ける。図１では挿し込み過ぎ防止部３として、両者の役割を兼用しているが、別々に設けてもよい。【００１０】最下部に刺しこみ部分を設ける。４Ａ板状と４Ｂ棒状の例を示す。４Ａ板状では、向き固定に名札を設置でき、４Ｂ棒状では、回転可能に名札を設置できる。これらは、フローラルフォームを壊さないように、強度を維持しながら断面積を小さくするように設定する。
【発明の効果】
【００１１】名札の挿抜でフローラルフォームを壊す事が無くなるため、スタンドの移動作業が不要となる。
【００１２】また、名札の挿抜が容易になってフローラルフォームを壊す事が無くなるため、名札の高さを揃えた状態が維持でき、傾いたりせず、体裁よく名札を表示できる。
【００１３】フローラルフォームに対する刺しこみ部分の断面積を、木製の名札脚棒に比べて小さくすることが可能になり、フローラルフォームの損傷を小さくできる事から、フローラルフォームの繰り返し使用回数を増やせ、節約できる。
【００１４】現在一般に使われている木製の名札をそのまま使用できる事から、利便性を得るための費用が少なくて済む。
【図面の簡単な説明】
【００１５】
【図１】本発明における名札受け具の斜視図を示す。
【図２】名札受け具の刺しこみ部分を変形したものを示す。
【図３】本発明の使用方法である。
【符号の説明】
【００１６】１        案内部分２        本体部分３        挿し込み過ぎ防止部４Ａ      刺しこみ部分（板状）４Ｂ      刺しこみ部分（棒状）５        木製名札６        名札脚棒７        生花類８        フローラルフォーム９        桶１０      スタンド１１      名札受け具
【図１】
2007125331.tif 000003
【図２】
2007125331.tif 000004
【図３】
2007125331.tif 000005
(57)【要約】      （修正有）【課題】衣料調整具の機能部分に充分な剛性およびバネ性を持たせで、且、衣服に取り付ける部分を縫製を可能にした衣料調整具の提供。【解決手段】衣料調整具の衣服への取り付け部を縫製が可能な柔らかい樹脂でつくり、バネ性が必要な部分を金属もしくは硬い樹脂（バネ性のある樹脂）で作るために二重成型で一体化し、充分なバネ性とかつ縫製が可能な衣料調整具を作成する。【選択図】図３
2007125339.tif 000002
【特許請求の範囲】
【請求項１】
二重成型で作られた衣料用調整具。
【発明の詳細な説明】
【技術分野】
【００１】      本発明は二重成型で作られた衣料用調整具に関するものである。
【技術背景】
【００２】      衣料用調整具にはいろいろな種類のものがあって廉価で商品を作ろうとすると部品点数を減らすために取り付けるには縫製する必要がありまた本体は一体型で作る必要があった。  しかしながら動くところにバネ性の機能を持たせようとすると金属もしくは硬い樹脂（バネ性のある樹脂）を使用する必要がある。  その場合金属では縫製は不可能でありまた樹脂であっても硬い樹脂なので縫製する場所は薄く作っても割れたりしてうまく縫製できないという欠点があった。
【発明の開示】
【発明が解決しようとする課題】
【００３】      金属は使用できず、また縫製できるような柔らかい樹脂を使用すると今度はバネ性を持たせたいところも柔らかい樹脂になってしまい十分なバネ性を発揮することができず商品の開発を断念せざるを得なかった。
【課題を解決するための手段】
【００４】      そこで縫製をする部分を柔らかい樹脂でつくりバネ性が必要な部分を金属もしくは硬い樹脂（バネ性のある樹脂）で出来るように二重成型をすればバネ性を出すことが出来て、なおかつ縫製が可能になる。
【発明の効果】
【００５】      縫製する部分が縫製可能な柔らかい樹脂で出来ておりそうでない部分が金属もしくは硬い樹脂（バネ性のある樹脂）で出来ているので縫製が容易にできてなおかつバネ性の必要な部分は十分にバネ性を発揮できる。
【発明を実施するための最良の形態】
【００６】  以下、本発明の実施の形態について説明する。
（イ）  まずＡ部分をバネ製の効く樹脂で成型するもしくは金属で作る。
（ロ）  Ａ部分をＢ部分と一体化させるためにインサート成型をする。
（ハ）  Ｂ部分には縫製が容易になるような柔らかい樹脂を使用する。
【図面の簡単な説明】
【００７】
【図１】  本発明を上から見た図
【図２】  本発明を横から見た図
【図３】  本発明のＡ部分とＢ部分の説明図
【符号の説明】
【００８】  １  Ａ部分（バネ性の効く樹脂で成型もしくは金属）
２  Ｂ部分（縫製しやすい樹脂を使用）
【図１】
2007125339.tif 000003
【図２】
2007125339.tif 000004
【図３】
2007125339.tif 000005
(57)【要約】      （修正有）【課題】ホックと円錐バネを組み合わせて釦機能のほか、過剰な体熱放出のために立体的方向への半開放機能を有するホック釦を提供する。【解決手段】釦はホック上面の大凸部と、下の被される部４との間を円錐ばね１０で繋いだホックと釦の組合せ構造とする。大凸部のホック上部はプラスチック釦８で被い見かけをよくしておく。シャツ等の合わせ目の下布にホックの小凸部４を縫いつけ、上になる合わせ目１には釦穴をあけて、そこからばね１０を押し込めてホック機能を働かせた状態ではプラスチック釦として機能するが、ホックを外すとばね１０が働いて、プラスチック釦８はシャツの上の合わせ目を保持したまま、シャツの合わせ目は１０〜１５ｍｍ程の半開放に出来るので、礼を失しないで体熱放出状態を保てる。【選択図】  図１
2007125352.tif 000002
【特許請求の範囲】
【請求項１】
円錐ばねの線自体のみを被服に似合うよう繊維類等で被った円錐ばねの小円環側のばね線の先端を、ホック固有のばね止めのある周辺に固定し、その線の先を周辺部よりホックの下の中央近くに出し、下方に続く各円錐ばね環は一段下がる毎に、隣り合ったばね環と隙間をあけない程度で極く僅かゆとりのある大小関係を持たせることにより、全ての円錐ばね環は最終円錐ばね環の環内に一線径の高さの盤面状になり、上側になるホック上面はプラスチック等を被せてあるだけで、通常のホックをとめた状態になり、ホックを外すと円錐ばねが１５ｍｍ前後伸びている状態を保てることを特徴とする釦。
【発明の詳細な説明】
【技術分野】
【０００１】  本発明は、円錐ばねとホックの働きを組み合わせた釦に関するものである。
【背景技術】
【０００２】  釦の形、質は時代と共に素材や使い方とも単純素朴から複雑で機能的なもの、飾のために使われる装飾釦まで現われた。釦の材としては、繊維（紐）、貝類、陶磁、木、ガラス、金属、プラスチック等がある。機能面から見ると衣類の合わせ目で紐のこぶと輪にした紐を引っかけて役目をするもの、釦穴に釦を通すもの、外から見えないようにしたホック。チャックは用途が多いが釦がわりとしても使われる。
【発明の開示】
【発明が解決しようとする課題】
【０００３】  暑い時人前で釦を外すと、下着が見えたりして見苦しく、また礼を失することになる。そこで本発明は、暑い季節を涼しく過す機能を具えた釦を提供するものである。
【課題を解決するための手段】
【０００４】  円錐ばねの線自体のみを繊維で出来ている衣類に似合うよう繊維類等を薄く固着させた円錐ばねの小円環のばね線の先端を、ホック固有のばね止めのある周辺に固定し、その線の先を周辺部よりホックの下の中央附近（〔図１〕３）に出し、下方に続く各円錐ばね環は一段下がる毎に、隣り合ったばね環と隙間をあけない程度で極く僅かゆとりのある大小関係を持たせることにより、全ての円錐ばね環は最終円錐ばね環（〔図５〕１１）の環内に一線径の高さの盤面状になり、上側になるホックの上面はプラスチック等を被せてあるだけで、通常のホックをとめた状態になり、ホックを外すと円錐ばねが１５ｍｍ前後伸びている状態になる。服の合わせ目をきちっとする時には浮き上がっている（〔図１〕８）のプラスチック部分を指で（〔図５〕４）へ押さえれば着衣は正装となる。
【発明の効果】
【０００５】  暑気の強い季節は誰しも先ず、「冷・涼」を求める。それに水をくわえてこの三点が、過度に抑止される時は生死の危険に晒され、毎年熱中症で幾許かの犠牲者が出ている現実がある。本発明によるクールビズ釦は上記の危険をも幾分軽減させ得るであろう。また過剰な体熱を放出し、涼気を流入させられる。クーラーなどの使用量も軽減され、二酸化炭素の減量にも繋がることと考える。
【発明を実施するための最良の形態】
【０００６】  本発明は釦をシャツから外しても、「時、所、位」に適するように臨機に応用の利く釦で、快適性、儀礼性、及び仕事の能率性を高められるように考案したものである。その方法として、ホックと円錐ばねとを組合せ、ホックの上部分（〔図１〕８）にはプラスチックや金属等を被せておく。（〔図５〕）の状態は、シャツの合わせ目に普通の釦穴をあけてあり、（〔図５〕２）の釦はシャツの上の合わせ目の釦穴から、普通の釦と同様に外から見える位置にある。釦穴は（〔図５〕２）のプラストック釦と（〔図５〕６）の円錐ばねの間に挟まっている。前記プラスチック釦の下の（〔図５〕５）の下のホック部は、シャツの合わせ目の下に縫いつけられている。従って上のプラスチック釦と下のホック部を指先で剥がすと円錐ばねで、プラスチック釦はシャツの上合わせ目をつけたまま、１５ｍｍ前後下シャツと離れて浮き上り、半解放状態で風通しをよくする。正式な服装にする時には、（〔図１〕８）のプラスチック部分を上から押しつければ、下のホック部と一体となり（〔図５〕の状態となる。
【産業上の利用可能性】
【０００７】  火を使用する作業場、発汗を伴う仕事、クーラーを使用する部屋等に適する。
【図面の簡単な説明】
【０００８】
【図１】  クールビズ釦の円錐ばねの使用状態側面図
【図２】  上ホック部（〔図１〕２）プラスチック部の断面側面図
【図３】  （〔図１〕２）の円錐ばねの取付けを示す断面図
【図４】  ホックの上部（〔図１〕２）の平面断面図
【図５】  クールビズ釦が通常釦様にはめられている側面図
【符号の説明】
【０００９】  １  ホックの凸形部で下の（〔符号〕４）の小凸形部が嵌入する部分
２  ホックの周縁
３  円錐ばねの初環部
４  ホック下部の小凸部
５  ホック下部の中に円錐ばね（〔符号〕６）終端部を留める
６  円錐ばねを留めるための周縁部の爪
７  円錐ばねの出口
８  上部ホックプラスチック部分
９  円錐ばね固定部
１０  ホック固有ばね
１１  円錐ばね終環部
【図１】
2007125352.tif 000003
【図２】
2007125352.tif 000004
【図３】
2007125352.tif 000005
【図４】
2007125352.tif 000006
【図５】
2007125352.tif 000007
【手続補正書】
【提出日】平成17年11月2日(2005.11.2)
【手続補正１】
【補正対象書類名】明細書
【補正対象項目名】０００６
【補正方法】変更
【補正の内容】
【０００６】  本発明は釦をシャツから外しても、「時、所、位」に適するように臨機に応用の利く釦で、快適性、礼儀性、及び仕事の能率性を高められるように考案したものである。その方法として、ホックと円錐ばねとを組み合わせ、ホックの上部分（〔図１〕８）にはプラスチックや金属等を被せておく。（〔図５〕）の状態は、シャツの合わせ目に普通の釦穴をあけてあり、（〔図５〕２）の釦はシャツの上の合わせ目の釦穴から、普通の釦と同様に外から見える位置にある。釦穴は（〔図５〕２）のプラスチック釦と（〔図５〕１１）の円錐ばねの間に挟まっている。前記プラスチック釦の下の（〔図５〕５）の下のホック部は、シャツの下の合わせ目に縫いつけられている。従って上のプラスチック釦と下のホック部を指先で剥がすと円錐ばねで、プラスチック釦はシャツの上合わせ目をつけたまま、１５ｍｍ前後下シャツと離れて浮き上り、半解放状態で風通しをよくする。正式な服装にする時には、（〔図１〕８）のプラスック部分を上から押しつければ、下のホック部と一体となり（〔図５〕の状態となる。
(57)【要約】      （修正有）【課題】アイロン使用中のコードのまつわりつきを無くし、快適で効率の良いアイロン掛けの実行を可能にせしめる為には、コード支持用具が必要です。しかも、天井から設置するような特殊なものでなく、又、コード支持具自体が邪魔にならない方法で、アイロン使用中のコードのまつわりつきを無くせるものがベストです。【解決手段】コード支持具自体をアイロン本体に設置する事により、アイロン使用中のコードのまつわりつきを無くす。この方法であれば、アイロン台にコード支持具を設置した時のように、コード支持具自体が邪魔になる事がありません。逆Ｌ字形のアンテナの先端にコードを引っ掛けるようにすると、アイロン本体からコードが最初に接地するまでの距離が長くなり、アイロンにコードがまつわり付くのを防ぐ事が出来ます。【選択図】図１
2007125343.tif 000002
【特許請求の範囲】
【請求項１】
アイロン本体に逆Ｌ字型アンテナを設置し、その先端にアイロンのコードを引っ掛けます。それにより、アイロン本体からコードが最初に接地するまでの距離を長くして、アイロンにコードがまつわり付くのを防ぐ構造に特徴のあるアイロンコードアンテナを特許申請します。
【請求項２】
逆Ｌ字型アンテナの先端を渦巻き型に巻く、あるいは渦巻き状のリングを取り付け、その円の中にコードを通してコードを支持する方式の、アイロンコードアンテナを特許申請します。
【請求項３】
逆Ｌ字型アンテナ部は針金のように追加的に折曲げが可能です。必要に応じてアンテナの高さ、角度が調整できるアンテナを有しているアイロンコードアンテナを特許申請します。
【請求項４】
アイロンコードアンテナはアイロン本体手持ち部分にゴムバンドでとめて設置します。取り外し自由で、簡単着脱であるアイロンコードアンテナを特許申請します。
【発明の詳細な説明】
【技術分野】
【０００１】アイロン使用中のコードのまつわりつきを無くし、快適で効率の良いアイロン掛けの実行を可能にせしめるコード支持具です。
【背景技術】アイロンのコード支持具としては、上からコードを垂らしたり、それと同様の形式でコード支持具をアイロン台の端に固定したり、アイロン本体のコード接合部にコードさばきの良いように振り子的に可動するもの等があります。
【発明の開示】
【発明が解決しようとする課題】
【０００２】天井から設置するような特殊なものでなく、又、コード支持具自体が邪魔にならない方法で、アイロン使用中のコードのまつわりつきを無くし、操作性を向上させる。
【課題を解決するための手段】
【０００３】コード支持具自体をアイロン本体に設置する事により、アイロン使用中のコードのまつわりつきを無くす。この方法であれば、アイロン台にコード支持具を設置した時のように、コード支持具自体が邪魔になる事はありません。
又、コード支持具に逆Ｌ字形のアンテナを付け、その先端にコードを引っ掛けるようにすると、アイロン本体からコードが最初に接地するまでの距離が長くなり、アイロンにコードがまつわり付くのを防ぐ事が出来ます。
［発明を実施する為の最良の形態］【０００４】図１の本体図において、アはアイロン本体の前方です。
アイロンコード支持具Ａは、イのアイロン本体手持ち部の前部分に設置します。【０００５】アイロンコード支持具Ａは、ｂ部分がアンテナ形状で、その先端にコード支持部があります。基本的に逆Ｌ字形で、コードを高く、遠くに離す事により、まつわりつきを防止します。【０００６】アイロンコード支持具Ａの、ｂ部分は基本的に逆Ｌ字形ですが、折り曲げ可能ですので、好きな位置に曲げられます。【０００７】アイロンコード支持具Ａのアイロン本体の手持ち部分への設置は、図３Ｃのバンドで行います。図３ｄ部分のゴムでグリップして、すべりを無くし、しっかりと固定します。
【発明の効果】アイロン本体からのコードの出だし位置は、通常５，６センチの高さですので、コードは５から１０センチ程の所で接地します。すぐ近くなので、まつわりつきの原因になりますが、コードアンテナの先端にコードを引っ掛ければ、接地位置を２０から３０センチ程度に変更出来ます（アンテナの長さによる）ので、まつわりつきが減少します。
支持具をアイロン台に設置する方法だと、支持具自体が邪魔になりますが、この場合の設置位置はアンテナ本体ですので邪魔になりません。
【図面の簡単な説明】
【０００８】
【図１】  全体図  本体にアイロンコードアンテナを設置した全体図です。
【図２】  アンテナ部図  アンテナ部分の三角図です。
【図３】  接続詳細図  アイロンコードをアイロン手持ち部に設置した時の断面図及び、横から見た図です。
【図１】
2007125343.tif 000003
【図２】
2007125343.tif 000004
【図３】
2007125343.tif 000005
(57)【要約】【課題】リュックサックのクーラー式で、保冷保温機能になるソフトクーラー型のリュックサックを提供する。【解決手段】リュックサック収納内部全面にアルミ箔断熱材を縫着し、保冷保温状態ができるようにする。【選択図】図２
2007125347.tif 000002
【特許請求の範囲】
【請求項１】
リュックサック収納内部全面に、軽量なアルミ箔断熱材を縫着し、保冷保温の機能構造状態にするソフトクーラー型リュックサック。
【発明の詳細な説明】
【技術分野】
【０００１】  本発明は、児童用（小）及び大人用（大）にも利用できるリュックサックの収納内部全面にアルミ箔の断熱材を縫着し、保冷保温の機能構造に関するものである。
【背景技術】
【０００２】  従来、通常の買い物手提げかばんの内部にアルミ箔使用の断熱商品があった。また、背負い式の容体があった。（特許文献１参照）
【特許文献１】特許公開平７−２２２６２２号公報
【発明の開示】
【発明が解決しようとする課題】
【０００３】  そのために、次のような問題点があった。
（イ）通常あるリュックサックだと、暑い季節の遠足や登山中に暑さで弁当が腐敗し、菓子類が柔らかくなる状態にあった。
（ロ）ソフトクーラー・トートバック型、ボックス型だと、重い荷物を手に提げなければならなかった。
本発明は、これらの問題点を解決するためになされたものである。
【課題を解決するための手段】
【０００４】  リュックサックの収納内部全面に、アルミ箔断熱材を縫着し、保冷保温の状態を維持できるものである。
【発明の効果】
【０００５】  本発明は、リュックサック収納内部全面にアルミ箔断熱材を縫着し、保冷保温の状態が保たれるようにしたものである。したがって、手に提げることもなく、体熱も遮断されるので飲食物をなかに入れても従来の欠点が解決される。
【発明を実施するための最良の形態】
【０００６】  以下、本発明の実施の形態について説明する。
リュックサック本体（Ａ）の表布地（４）の裏面に、軽い断熱用アルミ箔断熱材（２）を縫着し、収納部（１）を保冷保温状態が機能できるようにする。収納部（１）の開閉部はスライドファスナー（３）を設けて開閉自由とする。
本発明は、以上の構成よりなっている。
本発明を使用するときは、軽量につき老若男女を問わず手軽に背負うことができる。
【図面の簡単な説明】
【０００７】
【図１】本発明のリュックサックを開いた状態の平面図
【図２】本発明の使用状態の斜視図
【図３】本発明の正面図
【符号の説明】
【０００８】    １  収納部
２  アルミ箔断熱材
３  スライドフアスナー
４  表布地
【図１】
2007125347.tif 000003
【図２】
2007125347.tif 000004
【図３】
2007125347.tif 000005
(57)【要約】【課題】年老いて歩くのが不自由になった人も、足の悪い人にも歩きやすいやさしい靴である。【解決手段】靴の底２に、切り込み３をつけ靴の底を左右に曲げる事により解決するものである。【選択図】図２
2007125345.tif 000002
【特許請求の範囲】
【請求項１】
靴１の底の部分２に切り込み３をつけるものである。
【発明の詳細な説明】
【技術分野】
【０００１】本発明は、靴底に溝をつけることによって靴としての機能を高める物である。
【背景技術】
【０００２】従来、靴の底は滑り止めはあるが平らになっていて、何の変哲もなく履くだけの機能のものであった、これを改良するために考案された物である。【０００３】従来の靴の底は、平らになっているが歩くとき足の平を曲げるのにかなりの抵抗が足の平にかかっていた、これを改良するために考案された。
【発明の開示】
【発明が解決しようとする課題】
【０００４】上述のごとく靴の底の部分は、滑り止めがあっても靴の底自体が折り曲がるものでなく歩きぬくいところがあった、これを改良するために考案された。【０００５】従来のものは、靴の底が平らになっていたので足の悪い人、年老いた人にとって歩きぬくいものであった、これを改良する者である。
【課題を解決する為の手段】
【０００６】靴１の底２の部分に切り込み３をつけることにより、切り込み３を中心にして靴の底２が左右に折り曲げる
【０００７】足の悪い人、年老いた人にも靴が折り曲がる事により歩きやすいものとなる。
【発明の効果】
【０００８】従来からある靴と違い靴の底が左右に折り曲がる事によって、足の平を曲げるのに抵抗がなくなり、年老いた人や足の悪い人が歩くときでも足の平にかかる抵抗がなくなり、スムーズな歩き達せられる体にやさしいものである。
【発明を実施するための最良の形態】
【０００９】以下、本発明の実施の形態を図面に基づき説明する。【００１０】図１は、本発明の平面図で、図２は、左側面図で１は靴、２は靴の底、３は本考案の切り込み、図３は、底面図【００１１】図２で示すように、靴１の底の部分２に３の切り込みを入れることによって、３の部分が左右に折まげることが出来る
【実施例】
【００１２】実際に、この靴を履いて歩いてみた、歩きやすい、特に坂道を登っていくとき靴の底が上下に降り曲がるので、足の平に抵抗を感ずることなく非常に歩きやすいものであった。
【産業上の利用の可能性】
【００１３】本発明は、年老いて歩くことが不自由な人、足の悪い人が少しでも歩きやすくなるよう福祉の分野で利用できる。
【図面の簡単な説明】
【００１４】
【図１】本発明の平面図である。
【図２】本発明の左側面図である。
【図３】本発明の底面図である。
【符号の説明】
【００１５】１、  靴本体
２、  靴の底
３、  切り込み
【図１】
2007125345.tif 000003
【図２】
2007125345.tif 000004
【図３】
2007125345.tif 000005
(57)【要約】【目的】  この発明は、短時間で清掃する事と疲れを少なくするための用具である。【構成】  羽２に弾力性があり元の形に戻ろうとする働きがあるため、小さめのゴミ袋使用から、大きめのゴミ袋使用まで幅広く羽２を利用する事が出来る事と、ホウキではかれたゴミは基盤１を通り直接ゴミ袋５の中に入る事が出来る事を特徴とする。【選択図】図２
2007125349.tif 000002
【特許請求の範囲】
【請求項１】
（イ）手前の部分を斜め下に折り、左右の部分を斜め上に折った基盤１に弾力性のある羽２を設ける。
（ロ）羽２の先端を曲げ４、の片方の羽２に調節器３を設ける。
以上の如く構成されたハヤブサちり取りである。
【請求項２】
基盤１の左右の一部に穴８を設け、穴８に羽２を通す請求項１のハヤブサちり取りである。
【発明の詳細な説明】
【発明の詳細な説明】
【産業上の利用分野】
【０００１】この発明は、ゴミの多く出る場所の清掃に使用する用具である。
【背景技術】
【０００２】従来は、ホウキではかれたゴミをちり取りで受けてゴミ袋にゴミを入れるだけの単純さである。
【発明が解決しようとする課題】
【０００３】  これらには次のような欠点があった。
（イ）ゴミの入ったちり取りを持ち上げてゴミ袋にゴミを入れることを何度も繰り返すため清掃時間が長く疲れも出る。
【課題を解決するための手段】
【０００４】  本発明は、その欠点をのぞくためのもので図面について説明する。
（イ）羽２に弾力性があり元の形に戻ろうとする働きがあるため羽２を小さくまるめて使用しても、羽２を調節器３からはずして使用しても羽２は袋口６を強く張り羽２とゴミ袋５はズレル事なく基盤１と羽２とゴミ袋５は一体化する。
（ロ）一体化したものを持ち歩く時、奥底７は下に傾く。
【作用】
【０００５】本発明は、このような構造であるためホウキではかれたゴミは基盤１を通り直接ゴミ袋５の中に入ることが出来、一体化したものを持ち歩く時、奥底７は下に傾くためゴミ袋５に入っているゴミは奥底７の方に集る事なり次にホウキではかれたゴミはゴミ袋５入り易くなる事が繰り返される。
【実施例】
【０００６】なお、本発明に当って次の如きも目的は同じである。
（イ）基盤１の左右、斜め上に折った一部に羽２が通る穴８を設け、穴８に羽２を通し作ったもの。
【発明の効果】
【０００７】したがってホウキではかれたゴミは、ゴミ袋５に簡単に入り、基盤１と羽２とゴミ袋５は一体化し持ち運びが便利になり清掃時間が短く疲れも少ない。
【図面の簡単な説明】
【図１】本発明の原形の斜視図である。
【図２】本発明の組立た斜視図である。
【図３】本発明の羽を小さくまるめた使用斜視図である。
【図４】本発明の羽を大きく広げた使用斜視図である。
【図５】本発明の他の原形の実施例の斜視図である。
【符号の説明】
１は基盤
２は羽
３は調節器
４は曲げ
５はゴミ袋
６は袋口
７は奥底
８は穴
【図１】
2007125349.tif 000003
【図２】
2007125349.tif 000004
【図３】
2007125349.tif 000005
【図４】
2007125349.tif 000006
【図５】
2007125349.tif 000007
(57)【要約】【課題】従来は、ストレッチ運動用具は、道具としての存在感が大きく居間やオフィスにあると違和感がある。居間やオフィスにあっても恥ずかしくない用具にストレッチ機能を持たせる事を目的とする。【課題を解決するための手段】この課題を解決する為に、クッション１とクッション本体２の間に角のないバネを入れることにより、クッションとしての機能と、ストレッチ運動用具としての機能をもたせる。バネに角がなく、椅子の形に沿うので、通常は座布団として使用し、又、背中と椅子の間にあて、バネを上面から下に押すことで腕から、背中にかけてのストレッチ運動ができる。クッションの厚みによっては、クッションとして利用も可能である。【選択図】図２
2007125346.tif 000002
【特許請求の範囲】
【請求項１】
座布団及びクッションの中にバネを入れ、座布団及びクッションとして日常利用でき、且つ、ストレッチ運動の機能を有すること。
【請求項２】
バネの形状を、角がなく、先端と末端のない輪で１本につながったものであること。
【発明の詳細な説明】
【技術分野】
【０００１】本発明は、クッションに関するものであり、クッションの内部にバネを挿入することで、クッションとしての機能にストレッチの機能を付加えたものである。
【背景技術】
【０００２】クッションとして，ストレッチ機能の付いたクッションはある。例として開示されているものがある。【０００３】
【特許文献１】特許公開２００４−３１３４３０
【発明の開示】
【発明が解決しようとする課題】
【０００４】従来は、ストレッチ運動用具は、道具としての存在感が大きく居間やオフィスにあると違和感がある。又、道具としての単一機能であると置き場所を選ぶ。それゆえ、ストレッチ運動の習慣化がしにくいという難点がある。
【課題を解決するための手段】
【０００５】この課題を解決する為に、請求項１は、クッション本体１とクッション本体２の間に角のないバネを入れることにより、クッションとしての機能と、ストレッチ運動用具としての機能をもたせる。【０００６】請求項２は、バネの形状を始点と終点のない輪の形にすることで、座布団として利用が可能となる。
【発明の効果】
【０００７】本発明により、通常は、クッションとしての機能とストレッチ用具としての機能をもたせることができる。
以下、本発明の実施の形態について説明する。
（イ）．クッション本体１にクッション本体２を入れる空間とバネを入れる溝を設ける。このすき間にバネを入れ、クッション本体２を入れてクッションの形にする。
【図面の簡単な説明】
【０００８】
【図１】  本発明の完成図である。
【図２】  本発明の断面図である。
【符号の説明】
【０００９】  １  クッション生地
２  クッション本体１
３  クッション本体２
４  バネ
５  バネの入る溝
【図１】
2007125346.tif 000003
【図２】
2007125346.tif 000004
(57)【要約】【課題】  本発明は、健康増進、疾病予防、美容体操などの目的で、倒立を自動的に行える逆立牽引装置であって、コンパクト構造である。【解決手段】本発明は、寝台５に仰向けになり足頭部を固定する、モータ７と上昇レバー６の連動により寝台５が上昇して牽引状態になる。【選択図】図２
2007125342.tif 000002
【特許請求の範囲】
【請求項１】
寝台に設置の頭部下に軸支の固定軸で逆立可能な寝台の裏面にブレーキ付モータを設置し、そのモータでスクリューシャフトを回転させスクリューナットを前後に移動させ寝台に固定してある寝台固定レバーを前後に移動させることにより逆立ちさせることを特徴とする逆立牽引装置。
【発明の詳細な説明】
【技術分野】
【０００１】  本発明は、ヘルニア、疾病予防、腰痛、肩凝り、ぎっくり腰、手足の痺れ、鞭打ち、ひざ関節の痛み、などの目的で、逆立を自動的に行える逆立牽引装置。
【背景技術】
【０００２】  従来、回転台に直立状態から人体を１８０度回転させることは非常に不安感と恐怖感が生じる。【０００３】
【特許文献１】  特開２００１−０８７３２６号公報
【発明の開示】
【発明が解決しようとする課題】
【０００４】  従来の装置は直立状態から回転させるため頭から落ちて行く様な状態であるため不安感と恐怖感が生じるので、本発明は係る不都合を解消する為、１８０度回転させるのを止めて寝台に仰向けに寝た状態から足部から６０度上昇させて牽引状態を保つ機構にしたのである。
【課題を解決するための手段】
【０００５】  請求項１の逆立牽引装置は、逆立可能な寝台の裏面にブレーキ付モータが設置してある。そして、この逆立牽引装置は、コンパクトに構成されている。又、請求項２の逆立牽引装置は、寝台頭部を起点に仰向けに寝た状態で足方より上昇させる故回転より安心感がある、又停電時においては、寝台は蓄電池を備え自動的に元の状態に戻すことができて安全である。【０００６】  停電や電気トラブルが生じたときには、モータ３はブレーキ機能を自動的に解除し、寝台５は自動的に元の水平状態に戻るので安全である。
【発明の効果】
【０００７】  請求項１の逆立牽引装置は、寝台の裏面にブレーキ付モータが設置してあるので、コンパクトに構成できる。  又、請求項２の逆立牽引装置は、寝台の裏面と固定軸の間に弾性体を付設してあるので、停電時において、寝台は元の状態に戻すことができて、安全である。
【発明を実施するための最良の形態】
【０００８】  以下、本発明の形態を図１〜図３に基づいて説明する。【０００９】  図２のモータ台７にギヤードモータ３を取り付け駆動軸にスクリュウシャフト１を取り付けスクリュウナット２と寝台上昇レバー６を連結する。
上昇レバーは寝台５頭部下に固定する。６寝台上昇レバーはスクリュウナット２の前後動作により寝台５足部が上昇、下降する。【００１０】  図１、図２の足首固定レバー４は人体が仰向けになり足首固定レバー４で固定する。【００１１】  停電時、電気系統の故障時には蓄電池により自動に下降するように安全対  策が施されている。【００１２】  従来の装置は直立の状態から１８０度回転させる方式であるから頭部殻下降する為不安感が生ずるが、本発明は寝台に仰向けに寝た状態から足部から上昇させるから不安感がないことが特徴である。【００１３】  寝台頭部に回転軸を置き、回転軸にレバーを固定し、ブレーキモータにスクリューシャフトを回転させてスクリューナットとレバーの先端をつなぎ、レバーを引き寝台を上昇させる。足部から上昇していくので不安感は無く牽引状態に入る機構である。
【図面の簡単な説明】
【００１３】
【図１】逆立牽引装置の平面図である。
【図２】図１の正面図である。
【図３】図１の右側面図である。
【符号の説明】
【００１４】１スクリューシャフト
２スクリューナット
３ギヤードモータ
４足首固定レバー
５寝台
６寝台上昇レバー
７モータ台
８レバー固定駆動軸
【図１】
2007125342.tif 000003
【図２】
2007125342.tif 000004
【図３】
2007125342.tif 000005